(57)【要約】【課題】靴の乾燥、脱臭、および殺菌を効率的に行うとともに、靴を傷めない靴乾燥装置を提供する。【解決手段】靴乾燥装置１は、靴Ｓを収納する収納手段と、靴Ｓに対してオゾンを含んだ空気を供給するオゾン供給手段と、靴Ｓに対して加熱した空気を供給する加熱手段と、靴Ｓに対して冷却した空気を供給する冷却手段とを備える。制御装置が、それらの手段により空気の供給を行う場合における最適化された当該空気の温度および当該供給の時間を実現するように制御を行う。その結果として、靴Ｓを傷めない状態で靴Ｓを効率的に乾燥、脱臭、および殺菌処理することが可能である。また、紫外線照射手段を用いることや収納手段の内側表面を光触媒酸化チタンコーティングすることによって、靴Ｓ、靴Ｓの周辺領域、および収納手段の内側表面における脱臭および殺菌作用を促進することができる。【選択図】図１
2012152330.tif 000002
【特許請求の範囲】
【請求項１】
靴を内部に収納する収納手段と、
前記収納手段の内部に配置された靴に対しオゾンを含んだ空気を供給するオゾン供給手段と、
前記収納手段の内部に配置された靴に対し加熱した空気を供給する加熱手段と、
前記収納手段の内部に配置された靴に対し冷却した空気を供給する冷却手段と、
前記オゾン供給手段、前記加熱手段、および前記冷却手段を制御し、前記オゾン供給手段によるオゾンを含んだ空気の供給を実行させ、当該オゾンを含んだ空気の供給の実行の後、前記加熱手段による加熱された空気の供給を実行させ、当該加熱した空気の供給の実行の後、前記冷却手段による冷却された空気の供給を実行させる制御手段と
を備える
靴乾燥装置。
【請求項２】
前記制御手段は、前記オゾン供給手段によるオゾンを含んだ空気の供給を１回目の供給とし、前記加熱手段による加熱された空気の供給の実行の後、かつ前記冷却手段による冷却された空気の供給の実行の前に、前記オゾン供給手段によるオゾンを含んだ空気の２回目の供給を実行させる
請求項１に記載の靴乾燥装置。
【請求項３】
前記制御手段は、前記冷却手段による冷却された空気の供給を冷却された空気の２回目の供給とし、前記加熱手段による加熱された空気の供給を加熱された空気の１回目の供給とし、前記加熱手段による加熱された空気の１回目の供給の実行の後、かつ前記オゾン供給手段によるオゾンを含んだ空気の２回目の供給の実行の前に、前記冷却手段による冷却された空気の１回目の供給を実行させ、前記オゾン供給手段によるオゾンを含んだ空気の２回目の供給の実行の後、かつ前記冷却手段による冷却された空気の２回目の供給の実行の前に、前記加熱手段による加熱された空気の２回目の供給を実行させる
請求項２に記載の靴乾燥装置。
【請求項４】
前記制御手段は、前記加熱手段に摂氏４５度以下かつ摂氏３５度以上の所定の温度に加熱した空気の供給を実行させる
請求項１乃至３のいずれかに記載の靴乾燥装置。
【請求項５】
前記制御手段は、前記冷却手段に摂氏２２度以上かつ摂氏２７度以下の所定の温度に冷却した空気の供給を実行させる
請求項１乃至４のいずれかに記載の靴乾燥装置。
【請求項６】
前記オゾン供給手段により供給されるオゾンの含まれた空気、前記加熱手段により供給される加熱された空気、および前記冷却手段により供給される冷却された空気を、前記収納手段の内部に配置された靴の内部に導き噴出するための弾性素材でできた管状体であるノズルを備える
請求項１乃至５のいずれかに記載の靴乾燥装置。
【請求項７】
前記収納手段は、靴を載置するための靴台を有し、
前記靴台と、前記ノズルの前記噴出の位置との間の距離を調節する調節機構を備える
請求項６に記載の靴乾燥装置。
【請求項８】
前記靴台は、前記靴台に載置される靴のつま先側の高さより踵側の高さが高くなるように傾斜している
請求項７に記載の靴乾燥装置。
【請求項９】
前記収納手段の内部の空気を外部に排気する排気手段を備え、
前記制御手段は、前記排気手段を制御し、前記冷却手段による冷却された空気の最後の供給の実行の後、前記排気手段による前記排気を実行させる
請求項１乃至８のいずれかに記載の靴乾燥装置。
【請求項１０】
前記排気手段は、前記排気における空気の流路上に配置された竹炭を含むスポンジ、カテキンを含むスポンジ、および竹炭を含むゼリーのうちの１以上を有する
請求項９に記載の靴乾燥装置。
【請求項１１】
前記収納手段の内部の臭いの程度を測定する臭いセンサと、
前記臭いセンサにより測定された臭いの程度をユーザに対し通知する通知手段と
を備える
請求項１乃至１０のいずれかに記載の靴乾燥装置。
【請求項１２】
前記制御手段は、前記オゾン供給手段によるオゾンを含んだ空気の供給を合計で３５分以上かつ５５分以下の所定の時間実行させ、前記加熱手段による加熱された空気の供給を合計で３０分以上かつ５０分以下の所定の時間実行させ、前記冷却手段による冷却された空気の供給を合計で１０分以上かつ２５分以下の所定の時間実行させる
請求項１乃至１１に記載の靴乾燥装置。
【請求項１３】
前記収納手段の内部に紫外線の照射を行う紫外線照射手段を備え、
前記制御手段は、前記紫外線照射手段を制御し、前記加熱手段による加熱された空気の供給の実行中および前記冷却手段による冷却された空気の供給の実行中の少なくとも一部の期間において前記紫外線照射手段による前記紫外線の照射を実行させる
請求項１乃至１２のいずれかに記載の靴乾燥装置。
【請求項１４】
前記収納手段の内側表面の少なくとも一部分が、光触媒酸化チタンコーティングされている
請求項１乃至１３のいずれかに記載の靴乾燥装置。
【発明の詳細な説明】
【技術分野】
【０００１】
本発明は、いわゆる靴を乾燥するための靴乾燥装置に関する。
【背景技術】
【０００２】
靴を乾燥するための装置に関しては、従来から数多くのアイディアが提供されてきている。例えば、特許文献１において開示される靴乾燥装置は、ファンおよびオゾン発生器を備えることにより、空気の対流で靴を乾燥させると同時に、当該オゾン発生器によって発生されるオゾンにより靴の脱臭および殺菌を行うことができる。
【０００３】
また、特許文献２において開示される靴乾燥装置は、ファン、空気を加熱する加熱器、およびフィルターを備えることにより、比較的高温の空気の対流で効率的に靴を乾燥させるとともに、フィルターを通して靴乾燥装置の外部へ空気を排気してやるので脱臭および殺菌の効果ももたらす。
【先行技術文献】
【特許文献】
【０００４】
【特許文献１】特開平−２５５８２７号公報
【特許文献２】実登３０３１２３４号公報
【発明の概要】
【発明が解決しようとする課題】
【０００５】
ところで、靴乾燥装置は、一般的に、靴の乾燥、靴およびその周辺の空気の脱臭・殺菌を行うものである。したがって、靴乾燥装置には、乾燥を短時間で行うこと、脱臭・殺菌を効率的に行うこと、および靴を傷めないこと等に対するユーザ側のニーズがある。
【０００６】
そこで、本発明は、靴の乾燥、脱臭、および殺菌を効率的に行うとともに、靴を傷めない靴乾燥装置を提供することを目的とする。
【課題を解決するための手段】
【０００７】
本発明は、上記の目的に鑑みて想到されたものであり、
靴を内部に収納する収納手段と、
前記収納手段の内部に配置された靴に対しオゾンを含んだ空気を供給するオゾン供給手段と、
前記収納手段の内部に配置された靴に対し加熱した空気を供給する加熱手段と、
前記収納手段の内部に配置された靴に対し冷却した空気を供給する冷却手段と、
前記オゾン供給手段、前記加熱手段、および前記冷却手段を制御し、前記オゾン供給手段によるオゾンを含んだ空気の供給を実行させ、当該オゾンを含んだ空気の供給の実行の後、前記加熱手段による加熱された空気の供給を実行させ、当該加熱した空気の供給の実行の後、前記冷却手段による冷却された空気の供給を実行させる制御手段と
を備える
靴乾燥装置を提供する（第１の実施態様）。
【０００８】
また、上記の第１の実施態様において、
前記制御手段は、前記オゾン供給手段によるオゾンを含んだ空気の供給を１回目の供給とし、前記加熱手段による加熱された空気の供給の実行の後、かつ前記冷却手段による冷却された空気の供給の実行の前に、前記オゾン供給手段によるオゾンを含んだ空気の２回目の供給を実行させる
構成が採用されてもよい（第２の実施態様）。
【０００９】
また、上記の第２の実施態様において、
前記制御手段は、前記冷却手段による冷却された空気の供給を冷却された空気の２回目の供給とし、前記加熱手段による加熱された空気の供給を加熱された空気の１回目の供給とし、前記加熱手段による加熱された空気の１回目の供給の実行の後、かつ前記オゾン供給手段によるオゾンを含んだ空気の２回目の供給の実行の前に、前記冷却手段による冷却された空気の１回目の供給を実行させ、前記オゾン供給手段によるオゾンを含んだ空気の２回目の供給の実行の後、かつ前記冷却手段による冷却された空気の２回目の供給の実行の前に、前記加熱手段による加熱された空気の２回目の供給を実行させる
構成が採用されてもよい（第３の実施態様）。
【００１０】
また、上記の第１乃至３のいずれかの実施態様において、
前記制御手段は、前記加熱手段に摂氏４５度以下かつ摂氏３５度以上の所定の温度に加熱した空気の供給を実行させる
構成が採用されてもよい（第４の実施態様）。
【００１１】
また、上記の第１乃至４のいずれかの実施態様において、
前記制御手段は、前記冷却手段に摂氏２２度以上かつ摂氏２７度以下の所定の温度に冷却した空気の供給を実行させる
構成が採用されてもよい（第５の実施態様）。
【００１２】
また、上記の第１乃至５のいずれかの実施態様において、
前記オゾン供給手段により供給されるオゾンの含まれた空気、前記加熱手段により供給される加熱された空気、および前記冷却手段により供給される冷却された空気を、前記収納手段の内部に配置された靴の内部に導き噴出するための弾性素材でできた管状体であるノズルを備える
構成が採用されてもよい（第６の実施態様）。
【００１３】
また、上記の第６の実施態様において、
前記収納手段は、靴を載置するための靴台を有し、
前記靴台と、前記ノズルの前記噴出の位置との間の距離を調節する調節機構を備える
構成が採用されてもよい（第７の実施態様）。
【００１４】
また、上記の第７の実施態様において、
前記靴台は、前記靴台に載置される靴のつま先側の高さより踵側の高さが高くなるように傾斜している
構成が採用されてもよい（第８の実施態様）。
【００１５】
また、上記の第１乃至８のいずれかの実施態様において、
前記収納手段の内部の空気を外部に排気する排気手段を備え、
前記制御手段は、前記排気手段を制御し、前記冷却手段による冷却された空気の最後の供給の実行の後、前記排気手段による前記排気を実行させる
構成が採用されてもよい（第９の実施態様）。
【００１６】
また、上記の第９の実施態様において、
前記排気手段は、前記排気における空気の流路上に配置された竹炭を含むスポンジ、カテキンを含むスポンジ、および竹炭を含むゼリーのうちの１以上を有する
構成が採用されてもよい（第１０の実施態様）。
【００１７】
また、上記の第１乃至１０のいずれかの実施態様において、
前記収納手段の内部の臭いの程度を測定する臭いセンサと、
前記臭いセンサにより測定された臭いの程度をユーザに対し通知する通知手段と
を備える
構成が採用されてもよい（第１１の実施態様）。
【００１８】
また、上記の第１乃至１１のいずれかの実施態様において、
前記制御手段は、前記オゾン供給手段によるオゾンを含んだ空気の供給を合計で３５分以上かつ５５分以下の所定の時間実行させ、前記加熱手段による加熱された空気の供給を合計で３０分以上かつ５０分以下の所定の時間実行させ、前記冷却手段による冷却された空気の供給を合計で１０分以上かつ２５分以下の所定の時間実行させる
構成が採用されてもよい（第１２の実施態様）。
【００１９】
また、上記の第１乃至１２のいずれかの実施態様において、
前記収納手段の内部に紫外線の照射を行う紫外線照射手段を備え、
前記制御手段は、前記紫外線照射手段を制御し、前記加熱手段による加熱された空気の供給の実行中および前記冷却手段による冷却された空気の供給の実行中の少なくとも一部の期間において前記紫外線照射手段による前記紫外線の照射を実行させる
構成が採用されてもよい（第１３の実施態様）。
【００２０】
また、上記の第１乃至１３のいずれかの実施態様において、
前記収納手段の内側表面の少なくとも一部分が、光触媒酸化チタンコーティングされている
構成が採用されてもよい（第１４の実施態様）。
【発明の効果】
【００２１】
本発明の第１の実施態様にかかる靴乾燥装置によれば、オゾン供給手段、加熱手段、および冷却手段を備えることにより、効率的にかつ靴を傷めずに靴を乾燥させることができるとともに、脱臭および殺菌の効果ももたらされる。
【００２２】
また、本発明の第２の実施態様にかかる靴乾燥装置によれば、上述の第１の実施態様にかかる靴乾燥装置と比較して、オゾンを含んだ空気の２回目の供給を制御手順のサイクルに挿入したため、より確実に靴およびその周辺の空気の脱臭および殺菌を行うことが可能である。
【００２３】
また、本発明の第３の実施態様にかかる靴乾燥装置によれば、上述の第２の実施態様にかかる靴乾燥装置と比較して、冷却した空気の１回目の供給および加熱した空気の２回目の供給を制御手順のサイクルに挿入したため、より確実に靴を乾燥させることが可能である。
【００２４】
また、本発明の第４の実施態様にかかる靴乾燥装置によれば、加熱手段により加熱される空気の温度を最適なものとしたので、靴を傷めない状態でより効果的に靴を乾燥させることが可能である。
【００２５】
また、本発明の第５の実施態様にかかる靴乾燥装置によれば、冷却手段により冷却される空気の温度を最適なものとしたので、加熱手段により伸張した靴が適度に引き締められる。
【００２６】
また、本発明の第６の実施態様にかかる靴乾燥装置によれば、弾性素材のノズルが採用されているので、乾燥されるべき靴の適当な位置に当該ノズルの噴出口を配置することが容易である。ノズルが非弾性的であれば、ブーツ等の中にノズルの先端を入れ込むことが困難だからである。
【００２７】
また、本発明の第７の実施態様にかかる靴乾燥装置によれば、高さ調節可能な靴台が採用されているので、靴底の高さがまちまちである靴のいずれであっても、当該靴とノズルの噴出口との位置関係を容易に最適なものとすることができる。これにより、ノズルから供給される空気が靴の中および当該靴の周辺を最適な状態で循環し、当該靴を比較的短時間で乾燥等させることが可能である。
【００２８】
また、本発明の第８の実施態様にかかる靴乾燥装置によれば、靴台に載置される靴のつま先側の高さより踵側の高さが高くなるようになっているので、靴の中の空気の流れをスムーズにし、効果的に靴を乾燥、脱臭、および殺菌することが可能である。すなわち、ノズルから噴出する空気の方向ができる限り靴のつま先側に向いている方が、当該靴の中の空気の流れが滞ることがないのである。
【００２９】
また、本発明の第９の実施態様にかかる靴乾燥装置によれば、排気手段が採用されているので、靴乾燥装置の内部に悪臭やばい菌が滞留することがない。なお、排気手段が働くのは、靴の乾燥等の手順が終了した後であり、靴の乾燥等が行われている最中は例えば靴乾燥装置の内部において空気が循環することとなり効率的である。
【００３０】
また、本発明の第１０の実施態様にかかる靴乾燥装置によれば、排気手段が脱臭・殺菌セットを有しているので、靴乾燥装置の内部から外部へ悪臭やばい菌が流れ出すことが無い。
【００３１】
また、本発明の第１１の実施態様にかかる靴乾燥装置によれば、靴乾燥装置の中の臭いを測定する臭いセンサとその通知手段を備えているので、ユーザにとって靴乾燥装置が有する効果のうちの一つ（すなわち、脱臭の効果）を容易に把握することができる。
【００３２】
また、本発明の第１２の実施態様にかかる靴乾燥装置によれば、オゾンを含んだ空気の供給、加熱された空気の供給、および冷却された空気の供給の各々の時間を最適なものとしたので、靴を傷めない状態でより効果的に靴の乾燥等を行うことができる。
【００３３】
また、本発明の第１３の実施態様にかかる靴乾燥装置によれば、靴乾燥装置の内部に紫外線の照射を行う紫外線照射手段が採用されているので、当該靴乾燥装置の内部に収納されている靴、当該靴の周辺領域、および当該靴乾燥装置の内側表面の脱臭および殺菌を行うことができる。
【００３４】
また、本発明の第１４の実施態様にかかる靴乾燥装置によれば、靴乾燥装置の内側表面の所定の領域に光触媒酸化チタンがコーティングされているので、当該コーティングに太陽等の光や蛍光灯等の紫外線が照射されることによって、当該コーティングの表面における脱臭および殺菌を行うことができる。
【図面の簡単な説明】
【００３５】
【図１】図１は、本発明にかかる靴乾燥装置の概略を示す正面図である。
【図２】図２は、本発明にかかる靴乾燥装置の概略を示す背面図である。
【図３】図３は、本発明にかかる靴乾燥装置の背面を取り払って見た場合の概略図である。
【図４】図４は、本発明にかかる靴乾燥装置の上面を取り払って見た場合の概略図である。
【発明を実施するための形態】
【００３６】
（実施形態）
以下、本発明の一具体例である実施形態を、図面を用いて説明する。図１は、本実施形態にかかる靴乾燥装置１の概略を示す正面図である。図２は、本実施形態にかかる靴乾燥装置１の概略を示す背面図である。図３は、本実施形態にかかる靴乾燥装置１の背面を取り払って見た場合の概略図である。図４は、本実施形態にかかる靴乾燥装置１の上面を取り払って見た場合の概略図である。
【００３７】
靴乾燥装置１は、靴Ｓを内部に収納する収納部１１と、収納部１１の上に配置される天蓋部１２と、収納部１１の上面と天蓋部１２との間（以下、天蓋部１２の内部と呼ぶ）に配置される（図示せぬ）オゾン発生器、加熱器、および冷却器と、収納部１１の内部と天蓋部１２の内部との間を連通する空気循環機構１３と、収納部１１の内部において靴Ｓを載置するための靴台１４と、（図示せぬ）泥受皿と、収納部１１の内部および天蓋部１２の内部の空気を排気するための排気機構１５と、収納部１１の内部の臭いの程度を測定する（図示せぬ）臭い探知機構と、収納部１１の内部に紫外線の照射を行う（図示せぬ）紫外線照射機構と、所定の制御を行う（図示せぬ）制御装置と、各種の機器に電力を供給する（図示せぬ）電源装置とを備えている。
【００３８】
なお、靴Ｓには、いわゆるブーツやスニーカー等が含まれるものとする。
【００３９】
収納部１１は、中味が中空の直方体状の形状におけるユーザと対向する側の面を下方から上方に向かうに従い奥方向に遠ざかるように湾曲させた形状を有し、当該ユーザと対向する側の面を構成する部材（以下、収納部１１の扉と呼ぶ）が冷蔵庫の扉のように横に開くようになっている。これは、収納部１１の扉を開いた状態で乾燥すべき靴Ｓを収納部１１に出し入れするためである。なお、収納部１１の扉の開け閉めによって、所定のボタンが解除もしくは押下され、当該ボタンが解除されている場合にのみ収納部１１の内部に設けられた蛍光灯が点灯するようになっている。靴Ｓの出し入れの際に収納部１１の内部を含めた周辺がよく見えて便利だからである。
【００４０】
また、収納部１１は、例えば、合成樹脂によって作られている。そして、例えば、収納部の高さ（床面から測った場合の高さ。以下、「高さ」に言及する場合は同様）は約６０センチメートルであり、横幅の長さは約５０センチメートルであり、奥行きの長さは収納部１１の底面の位置において約４０センチメートルである。
【００４１】
また、収納部１１の内側表面は、光触媒酸化チタンコーティングがされている。酸化チタンは、太陽の光や紫外線を当てると有機物を水と二酸化炭素に分解する。このため、当該光触媒酸化チタンコーティングは、収納部１１の内側表面の脱臭、抗菌、および殺菌に役立つ。
【００４２】
なお、本実施形態においては、収納部１１および後述する靴台１４が本願における収納手段を構成する。
【００４３】
天蓋部１２は、収納部１１の上面を覆い当該上面に対して蓋をするような部材である。したがって、天蓋部１２における収納部１１と結合する側の面は開口しており、当該開口部から天蓋部１２の内部に向けて中空の空間が存在している。天蓋部１２の内部には、すなわち収納部１１の上面の上には、オゾン発生器、加熱器、および冷却器等が配置されている。
【００４４】
また、天蓋部１２は、例えば、合成樹脂によって作られている部材である。そして、天蓋部１２は、楕円柱を当該楕円柱の柱方向の中心線を通り長径方向および短径方向に向かう平面で４分の１に切り取ったような形状を有している。天蓋部１２は、当該長径方向に向かう平面における断面を下面として、収納部１１および排気機構１５等の上に配置される。なお、当該楕円柱の長半径は例えば約４０センチメートルであり、当該楕円柱の短半径は例えば約２０センチメートルであり、当該楕円柱の高さは例えば約５０センチメートルである。
【００４５】
また、天蓋部１２は、収納部１１と連結され、天蓋部１２および収納部１１を合わせた部分が、その部分の内部と外部との間において概ね気密に保たれるようになっている。靴Ｓを乾燥する際に、天蓋部１２の内部と収納部１１の内部とにおいて空気を循環させるため、靴乾燥装置１の外部から入って来ようとする空気もしくは靴乾燥装置１の外部へ出て行こうとする空気を概ね遮断する必要があるからである。
【００４６】
また、天蓋部１２の上述の扉とは反対側の側面（以下、「背面」と呼ぶ）の上方付近には、後述するように収納部１１の内部および天蓋部１２の内部の空気を排気する際に靴乾燥装置１の外部から空気を吸い込む外気吸入口１２１が設けられている。空気を吸い込む場所が無ければ、円滑に排気を行うことができないからである。すなわち、後述するように、外気吸入口１２１には扉が設けられていて排気を行う際には当該扉が開いており、かつ天蓋部１２の内部と収納部１１の内部とにおいて空気を循環させる際には、当該扉が閉じられることになる。それらの扉の開閉は、上述の制御装置の制御の下に上述の電源装置から供給される電力によって行われる。
【００４７】
なお、天蓋部１２は、収納部１１の要素の一つではなく別のものであるが、例えば収納部１１と一体に成形されている。
【００４８】
オゾン発生器は、収納部１１の内部に配置された靴Ｓに対してオゾンを含んだ空気を供給する際に、オゾンを発生する機器である。オゾン発生器の一部分は、例えば、２枚の電極板の表面を高い誘電率を持つホウケイ酸ガラスで覆ったものである。当該２枚の電極板の間に交流高電圧をかけて無声放電を起こすと、電極間に流れる酸素分子が解離し他の酸素分子と再結合することによってオゾンが発生する。また、オゾン発生器は、オゾンを含んだ空気の流れを作るモータファンを有している。なお、オゾン発生器は、オゾン発生器の各要素を収納する箱を有している。
【００４９】
オゾンは、強力な酸化作用があり、殺菌、ウイルスの不活性化、脱臭、脱色、有機物の除去等に用いられることがある。本実施形態にかかる靴乾燥装置１においては、上述のようなオゾンの脱臭・殺菌効果が利用されている。
【００５０】
また、オゾン発生器は、例えば、上述のように天蓋部１２の内部に配置されている。
【００５１】
加熱器は、収納部１１の内部に配置された靴Ｓに対して加熱した空気を供給する際に、空気を加熱する機器である。加熱器は、例えば、ニクロム線でできた加熱コイル、空気の流れを作るモータファン、温度センサ、およびそれらを収納する箱を有している。
【００５２】
また、加熱器は、例えば、上述のように天蓋部１２の内部に配置されている。
【００５３】
冷却器は、収納部１１の内部に配置された靴Ｓに対して冷却した空気を供給する際に、空気を冷却する機器である。冷却器は、例えば、ペルチェ効果を利用した小型の冷却装置で、互いに接触した２枚の異なる金属、空気の流れを作るモータファン、温度センサ、およびそれらを収納する箱を有している。
【００５４】
また、冷却器は、熱を発散するためのフィンを有しており、当該フィンは靴乾燥装置１の外側に若干延伸している。
【００５５】
また、冷却器は、例えば、上述のように天蓋部１２の内部に配置されている。
【００５６】
空気循環機構１３は、収納部１１の内部と天蓋部１２の内部との間の空気を循環させる機構である。
【００５７】
より具体的には、空気循環機構１３は、収納部１１の内部に空気を噴出するための例えばシリコン製のノズル１３１と、収納部１１の背面の、ユーザが収納部１１の扉（以下、扉側の面を「正面」という）と対向した位置関係において右側（以下、単に「右側」と呼び、その反対方向の側を「左側」と呼ぶ）のやや上方に配置されている空気循環口１３２と、空気循環口１３２から天蓋部１２の内部に空気を送る第１の空気循環流路１３３と、天蓋部１２の内部に配置されオゾン発生器によって発生されたオゾンを含んだ空気、加熱器によって加熱された空気、および冷却器によって冷却された空気をノズル１３１に送るための第２の空気循環流路１３４と、当該空気を収納部１１の左右の各々に送るための第３の空気循環流路１３５と、第１の空気循環流路１３３の入口付近に設けられた（図示せぬ）第１のファンと、第２の空気循環流路１３４の入口付近に設けられた（図示せぬ）第２のファンと、第３の空気循環流路１３５の入口付近に設けられた（図示せぬ）第３のファンとを有する。
【００５８】
ノズル１３１は、収納部１１の内部において左右に各々１本設けられており、各々の先端が乾燥されるべき靴Ｓの内部上面の若干上に来るような長さを有している。ノズル１３１がシリコン製であるため、その弾力性により、ブーツ等の丈の長い靴Ｓも容易にノズル１３１を入れることができる。
【００５９】
空気循環口１３２の外側には上述のように第１のファンが設けられており、収納部１１の内部の空気を吸い出して第１の空気循環流路１３３に送り込む。
【００６０】
第１の空気循環流路１３３は、空気循環口１３２から天蓋部１２の内部の所定の位置まで延伸した後、まず第３の空気循環流路１３５に循環する空気の一部を分配するように連結され、その後、さらに所定の位置まで延伸した後、第２の空気循環流路１３４に循環する空気の残りを分配するように連結されている。
【００６１】
第２の空気循環流路１３４は、天蓋部１２の内部の所定の位置（第２の空気循環流路１３４と連結されている位置）から左右に延伸し、２つあるノズル１３１の各々の入口に連結されている。
【００６２】
第３の空気循環流路１３５は、天蓋部１２の内部の所定の位置（第３の空気循環流路１３５と連結されている位置）から収納部１１の背面および左右両側面の厚み方向に設けられた（例えば、約５センチメートルの幅の）空間の内側を通って、収納部１１の内部のやや下側に設けられた左右各々２か所（合計４箇所）の開口部Ｏに連通している。開口部Ｏから噴出する空気は、収納部１１に配置されている靴Ｓの表面に向い流れる。
【００６３】
なお、本実施形態においては、オゾン発生器および空気循環機構１３が本願におけるオゾン供給手段を構成し、加熱器および空気循環機構１３が本願における加熱手段を構成し、冷却器および空気循環機構１３が本願における冷却手段を構成する。
【００６４】
靴台１４は、収納部１１の内部に配置され、靴Ｓを載置するための台である。
【００６５】
靴台１４は、例えば、合成樹脂製であり、矩形状の形状を有する板状体に多数の孔が開けられ、全体として網のような構造を備えている。靴台１４の上に載置された靴Ｓから落ちる水滴、ゴミ、泥などは、靴台１４の孔を通って下に落下し、靴台１４の下に配置される泥受皿で受け止められる。なお、靴台１４のうち靴Ｓの概ね踵部分が載置される部分の孔は細かくなっており、ハイヒール等の細いヒール部分が靴台１４を通り抜けて下に落ちることがない。
【００６６】
なお、泥受皿は、例えば、合成樹脂製の矩形状の形状を有する皿であり、上述の水滴、ゴミ、泥等を受け止める。従って、ユーザは泥受皿を必要に応じて清掃することにより、靴乾燥装置１が泥で汚れることを防止することができる。
【００６７】
また、靴台１４の横幅の長さは約４０センチメートルであり、奥行きの長さは約３０センチメートルである。
【００６８】
靴乾燥装置１は、乾燥されるべき靴Ｓとノズル１３１の空気噴出口との位置関係を適切なものに調節するために、高さを変えることができる調節機構を採用している。例えば、収納部１１の左右の内側面上の各々には、靴台１４を載せるための直線状の突出部が上下方向に３段、設けられている。ユーザは、これらの突出部のうちの適当な高さの左右１対に靴台１４を載せることにより、靴台１４を、収納部１１内において、正面側の高さが約１センチメートルかつ背面側の高さが約３センチメートル、正面側の高さが約５センチメートルかつ背面側の高さが約７センチメートル、および正面側の高さが約１０センチメートルかつ背面側の高さが約１２センチメートル、のいずれかの高さ位置に配置することができる。
【００６９】
このような構成により、靴Ｓの踵の高さが様々に異なっても（例えば、多くのブーツのように靴底が厚かったり、多くのスニーカーのように靴底が薄かったりしても）、靴Ｓとノズル１３１の空気噴出口との位置関係を適切に調整することが可能である。
【００７０】
また、靴Ｓは、収納部１１に収納される際に靴Ｓの踵側が収納部１１の奥側に、また靴Ｓのつま先側が収納部１１の手前側に来るように靴台１４の上に載置される。靴台１４が靴台１４に載置される靴Ｓのつま先側の高さより踵側の高さが高くなるように傾斜しているため、概ね鉛直方向に延伸しているノズル１３１の先端から噴出される空気の流れの方向がつま先方向を向き、靴Ｓの内部の隅々まで空気が行き渡り、靴Ｓを効率的かつむら無く乾燥させることができる。
【００７１】
排気機構１５は、上述したように収納部１１の内部および天蓋部１２の内部の空気を排気するための機構である。なお、排気機構１５は、収納部１１の要素の一つではなく別のものであるが、例えば収納部１１と一体に成形されている。
【００７２】
より具体的には、排気機構１５は、収納部１１の背面の中央付近のやや下方に配置されている空気吸入口１５１と、空気吸入口１５１から靴乾燥装置１の外部まで空気を送る空気排気流路１５２と、空気排気流路１５２の途中に設けられている脱臭・殺菌セット１５３と、排気の出口である排気口１５４と、空気排気流路１５２の入口付近に設けられた（図示せぬ）第４のファンと、空気排気流路１５２の出口付近に設けられた（図示せぬ）第５のファンと、を有する。
【００７３】
上述したように、空気吸入口１５１の外側には第４のファンが設けられており、収納部１１の内部および天蓋部１２の内部の空気を吸い出して空気排気流路１５２に送り込む。なお、第４のファンが回転すると空気吸入口１５１に設けられている扉が開き、空気吸入口１５１を通して空気が流れることを可能にする。この際、上述のように外気吸入口１２１に設けられている扉が開き、収納部１１の内部および天蓋部１２の内部に滞留している空気が排気されることを可能にする。
【００７４】
すなわち、第４のファンが回転していない場合には、空気吸入口１５１に設けられている扉および外気吸入口１２１に設けられている扉が閉まっており、収納部１１の内部および天蓋部１２の内部とそれらの外部との間の空気の出入りが概ね遮断される。
【００７５】
空気排気流路１５２は、途中に脱臭・殺菌セット１５３が設けられている。排気される空気は、空気排気流路１５２中を通って排気口１５４まで送られる間に、脱臭・殺菌セット１５３を通過する。
【００７６】
排気口１５４の内側には第５のファンが設けられており、空気排気流路１５２を通して送られてきた排気を靴乾燥装置１の外側へ送り出す。
【００７７】
脱臭・殺菌セット１５３は、排気の流れの方向から見て、竹炭の粉末を含むスポンジ状のウレタン、カテキンの粉末を含むスポンジ状のウレタン、および竹炭の粉末を含むゼリーの３層構造をなしている。竹炭およびカテキンは、各々脱臭・殺菌の効果を有しているため、靴乾燥装置１の外部に悪臭やばい菌が流れ出ることはない。なお、脱臭・殺菌セット１５３は、定期的（例えば、ゼリーに含まれる液体が概ね蒸発した時）に交換されることが望ましい。
【００７８】
なお、本実施形態においては、排気機構１５が本願における排気手段を構成する。
【００７９】
臭い探知機構は、上述したように収納部１１の内部の臭いの程度を測定する機構である。
【００８０】
臭い探知機構は、臭いセンサと、当該臭いセンサにより測定された匂いの程度をユーザに対し通知する通知機構とを有する。
【００８１】
臭いセンサは、例えば、高感度酸化インジウム系熱線型焼結半導体式もしくは高感度酸化スズ系熱線型焼結半導体式である。
【００８２】
通知機構は、天蓋部１２の正面側の左右方向の中心付近における上下方向のやや下側に設けられる臭いのレベルを表示する電子式の表示器（インジケータ）である。この表示器を見ることによって、ユーザは、収納部１１に収納された靴Ｓの臭いの程度を（靴乾燥装置１による靴Ｓの乾燥の間および前後においても）知ることができる。
【００８３】
なお、本実施形態においては、通知機構が本願における通知手段を構成する。
【００８４】
紫外線照射機構は、上述の加熱手段により加熱された空気の供給が行われている間、および上述の冷却手段により冷却された空気の供給が行われている間のうちの少なくとも一部の期間において、収納部１１の内部に対して紫外線の照射を行う。なお、紫外線照射機構は、例えば石英低圧水銀ランプ（低圧水銀ランプが石英でできた保護管に包含されているもの）である。
【００８５】
これにより、靴Ｓの殺菌効果が期待できるとともに、上述のように光触媒酸化チタンのコーティングがなされている収納部１１の内側表面における脱臭・殺菌効果が期待できる。
【００８６】
なお、本実施形態においては、紫外線照射機構が本願における紫外線照射手段を構成する。
【００８７】
電源装置は、制御装置の制御の下に、オゾン発生器、加熱器、冷却器、臭いセンサ、通知機構、第１のファン、第２のファン、第３のファン、第４のファン、および第５のファン等に電力を供給する。
【００８８】
また、電源装置は、例えば外部から供給される交流電流を直流電流に変換し、電力を消費する靴乾燥装置１の構成部に直流電流を供給するＡＣ／ＣＤアダプタである。
【００８９】
制御装置は、タイマー等を有しており、以下に説明する手順の時間管理や、靴乾燥装置１の内部の温度管理等を行う。より具体的には、制御装置は、上述の電源装置から供給される電力を制御することによって、オゾン発生器、加熱器、冷却器、臭いセンサ、通知機構、第１のファン、第２のファン、第３のファン、第４のファン、および第５のファン等を適切な状態で機能もしくは駆動させる。
【００９０】
以下、上述の制御装置による制御の下で靴乾燥装置１により行われる靴乾燥処理の運転サイクルの一例について説明する。
【００９１】
まず、ユーザは収納部１１の扉を開けて靴Ｓを適切な位置に配置し、当該扉を閉める。その際、ノズル１３１の先端位置が靴Ｓの内部上面の少し上に位置するように、必要に応じて靴台１４の高さを変える。なお、上述のように、扉が開いている間は、収納部１１の内部に設けられている蛍光灯が点灯する。
【００９２】
天蓋部１２の正面側におけるやや左よりの位置には雨の日ボタン、やや右よりの位置には晴れの日ボタンが設けられている。晴れの日には晴れの日ボタン、雨の日には雨の日ボタンを押下することにより、靴乾燥装置１の運転を開始することができる。以下、晴れの日ボタンが押下された場合につき説明する。
【００９３】
上述の晴れの日ボタンが押下されると、天蓋部１２の正面側における概ね中心付近に設けられた運転表示ランプが運転中を示す赤色に点灯する。その状態で、（上述の制御手段が）上述のオゾン供給手段によりオゾンを含んだ空気を約３０分間、収納部１１に収納された靴Ｓの内側（もしくは外側）に向けて供給する（１回目のオゾン供給）。これにより、靴Ｓの脱臭・殺菌が行われる。
【００９４】
次に、（上述の制御手段が）上述の加熱手段により加熱された摂氏約４３度の空気を約３６分間、収納部１１に収納された靴Ｓの内側（および外側）に向けて供給する（１回目の加熱）。これにより、靴Ｓの乾燥が行われる。なお、あまり高い温度の空気を靴Ｓに当てると、靴Ｓが痛む可能性がある。
【００９５】
なお、上述の加熱手段による加熱と同時に、（上述の制御手段が）上述の紫外線照射手段により紫外線の照射を行ってもよい。これにより、収納部１１に収納された靴Ｓの殺菌および収納部１１の内部の脱臭・殺菌が行われる。
【００９６】
次に、（上述の制御手段が）上述の排気手段により収納部１１の内部および天蓋部１２の内部の空気を約３分間排気する（１回目の排気）。上述のように、排気される空気は、脱臭・殺菌セット１５３を通過しているので、悪臭やばい菌等が靴乾燥装置１の外部に漏れることがない。なお、当該排気手段による排気（後述する２回目および３回目の排気も含む）が行われている間以外の時は、上述のように第４のファンが回転していないので、空気吸入口１５１および外気吸入口１２１の扉が閉じており、収納部１１の内部と天蓋部１２の内部との間において概ね気密な状態で、空気の循環が行われる。
【００９７】
その次に、（上述の制御手段が）上述の冷却手段により冷却された摂氏約２４．５度の空気を約２０分間、収納部１１に収納された靴Ｓの内側（および外側）に向けて供給する（１回目の冷却）。これにより、靴Ｓが加熱されて伸びた状態から通常の状態へと戻され、丁度よく引き締められる。なお、当該サイクルにおいては、上述の排気を行った後においても収納部１１の内部の空気が摂氏２４．５度よりも高い場合（例えば、夏季等において外気温が高い場合）にのみ、上述の冷却手段により冷却された空気の供給を行うものである。上述の排気を行った後においても収納部１１の内部の空気が摂氏２４．５度よりも低い場合（例えば、冬季等において外気温が低い場合）には、例えばサーモスタット等を用いることによって空気の温度を摂氏２４．５度に保つように、上述の加熱手段により加熱した空気の供給を行ってもよい。
【００９８】
その次に、（上述の制御手段が）上述のオゾン供給手段によりオゾンを含んだ空気を約１５分間、収納部１１に収納された靴Ｓの内側（もしくは外側）に向けて再度供給する（２回目のオゾン供給）。これにより、再度靴Ｓの脱臭・殺菌が行われる。
【００９９】
その次に、（上述の制御手段が）上述の加熱手段により加熱された摂氏約４３度の空気を約５分間、収納部１１に収納された靴Ｓの内側（および外側）に向けて再度供給する（２回目の加熱）。これにより、再度靴Ｓの乾燥が行われる。なお、上述のように、上述の加熱手段による加熱と同時に（上述の制御手段が）上述の紫外線照射手段により紫外線の照射を行ってもよい。これにより、収納部１１に収納された靴Ｓの殺菌および収納部１１の内部の脱臭・殺菌が再度行われる。
【０１００】
その次に、（上述の制御手段が）上述の排気手段により収納部１１の内部および天蓋部１２の内部の空気を３分間再度排気する（２回目の排気）。上述のように、排気される空気は、脱臭・殺菌セット１５３を通過しているので、悪臭やばい菌等が靴乾燥装置１の外部に漏れることがない。
【０１０１】
その次に、（上述の制御手段が）上述の冷却手段により冷却された摂氏２４．５度の空気を約１５分間、収納部１１に収納された靴Ｓの内側（および外側）に向けて再度供給する（２回目の冷却）。これにより、靴Ｓが加熱されて伸びた状態から通常の状態へと再度戻され、丁度よく引き締められる。なお、収納部１１の内部の温度が摂氏２４．５度よりも低い場合には、サーモスタットや上述の加熱手段等を用いて、収納部１１の内部の温度が摂氏２４．５度に保たれるように（上述の制御手段により）制御されてもよい点は上述の通りである。
【０１０２】
さらにその次に、（上述の制御手段が）上述の排気手段により収納部１１の内部および天蓋部１２の内部の空気を２分間、再度排気する（３回目の排気）。上述のように、排気される空気は、脱臭・殺菌セット１５３を通過しているので、悪臭やばい菌等が靴乾燥装置１の外部に漏れることがない。
【０１０３】
これにより、晴れの日ボタンが押された場合の１サイクルが終了して、靴Ｓの乾燥、脱臭、および殺菌が完了する。
【０１０４】
運転サイクルが終了すると、運転表示ランプが待機中を示す緑色に点灯する。ユーザは運転表示ランプにより運転サイクルが終了していることを確認し、収納部１１の扉を開けて、内部に収納されていた靴Ｓを取り出して、当該扉を閉める。
【０１０５】
次に、上述した雨の日ボタンが押された場合について記述する。
【０１０６】
雨の日ボタンが押下された場合は、上述の晴れの日ボタンが押された場合の１サイクルが２度繰り返される。したがって、例えば雨により靴Ｓが激しく濡れている場合であっても、靴Ｓがしっかりと乾燥、脱臭および殺菌される。
【０１０７】
なお、本実施形態においては、上述の制御装置が本願の制御手段を構成する。
【０１０８】
（変形例）
上述した実施形態は、本発明の技術的思想の範囲内において様々に変形が可能である。以下にそれらの変形の例を示す。
【０１０９】
例えば、靴乾燥装置１を構成する各要素のうち、上述の収納手段、オゾン供給手段、加熱手段、冷却手段、制御手段を構成するもの以外のものは、必要に応じて無くてもよい。例えば、上述した蛍光灯、運転表示ランプ、および泥受皿等は、場合によっては無くてもよい。
【０１１０】
また、上述した実施形態にかかる靴乾燥装置１の各要素の形状、大きさ、材料、特定の位置、特定の長さ、およびそれらを限定する数値は、あくまでも一例であり必要に応じてその他のいかなる形状、大きさ、特定の位置、特定の長さ、およびそれらを限定する数値が用いられてもよい。例えば、収納部１１は中空の直方体状の形状におけるユーザと対向する側の面を上下方向に湾曲させたような形状を有するものとしたが、例えば中空の楕円柱状の形状など、他の形状が採用されてもよい。
【０１１１】
また、収納部１１の内側表面は光触媒酸化チタンコーティングがされているものとしたが、それ以外のいかなる方法により収納部１１の内側表面の脱臭・殺菌が行われてもよく、場合によっては収納部１１の内側表面を脱臭・殺菌するための手段が設けられなくてもよい。
【０１１２】
また、天蓋部１２は収納部１１と一体に成形されるものとしたがそれに限られず、例えば収納部１１に対してネジ等によって取り付けられる構成が採用されてもよい。なお、場合によっては、外気吸入口１２１には開閉する扉が設けられていなくて、常時空気が外部から流入可能な状態となっていてもよい。
【０１１３】
また、オゾン発生器の一部分は、例えば２枚の電極板の表面を高い誘電率を持つホウケイ酸ガラスで覆ったものであるとしたが、これは本発明を限定するものではなく、他のオゾン発生のためのいかなる機構が用いられてもよい。
【０１１４】
また、加熱器は、例えばニクロムでできた加熱コイルを有するものとしたが、これは本発明を限定するものではなく、他の加熱のためのいかなる機構が用いられてもよい。
【０１１５】
また、冷却器は、例えばペルチェ効果を利用した小型の冷却装置で互いに接触した２枚の異なる金属等を有するものとしたが、これは本発明を限定するものではなく、他の冷却のためのいかなる機構が用いられてもよい。例えば、外気が乾燥手段により加熱された空気の供給後の収納部１１内の温度よりも低温な場合、外気を収納部１１内に取り込むことにより冷却を行う構成を備えた冷却手段が採用されてもよい。
【０１１６】
また、ノズル１３１は、シリコン製であるものとしたが、必要に応じて弾性素材でできた管状体であればよく、場合によっては弾性素材以外の素材からできていてもよい。
【０１１７】
また、第１のファン、第２のファン、第３のファン、第４のファン、および第５のファンは、必要に応じて設けられなくてもよい。
【０１１８】
また、第２の空気循環流路１３４および第３の空気循環流路１３５は、必要に応じて設けられなくてもよい。
【０１１９】
また、脱臭・殺菌セット１５３は、上述した構成のものとは異なるいかなる脱臭および殺菌のための機構によって代替されてもよく、場合によっては設けられなくてもよい。
【０１２０】
また、排気機構１５は、上述した構成のものとは異なる排気のためのいかなる機構によって代替されてもよく、場合によっては設けられなくてもよい。
【０１２１】
また、臭い探知機構は、上述した構成のものとは異なる臭いの探知およびその表示のためのいかなる機構によって代替されてもよく、場合によっては設けられなくてもよい。
【０１２２】
また、紫外線照射機構は例えば石英低圧水銀ランプであるものとしたが、これは本発明を限定するものではない。したがって、紫外線照射機構は、紫外線を照射するその他のいかなる機構によって代替されてもよいし、場合によっては設けられなくてもよい。
【０１２３】
ただし、紫外線照射機構は、通常の使用下において人体に悪影響を及ぼすものであってはならない。そのため、靴乾燥装置１の扉が開けられると、例えば収納部１１の扉の開け閉めによって解除・押下されるボタン（上述の蛍光灯の点灯・消灯を行うボタン）の解除に伴い、紫外線照射機構による紫外線照射が強制停止されるように構成されることが望ましい。
【０１２４】
また、天蓋部１２には雨の日ボタン、晴れの日ボタン、および通知機構が設けられるものとしたが、それらは上述した構成のものとは異なるいかなる機構によって代替されてもよく、場合によっては設けられなくてもよい。
【０１２５】
また、晴れの日ボタンを押下するとオゾンを含んだ空気が約３０分間（上述の１回目のオゾン供給）、その後に摂氏約４３度に加熱された空気が約３６分間（上述の１回目の加熱）、その後に摂氏約２４．５度に冷却（もしくは加熱）された空気が約３分間（上述の１回目の冷却）、その後にオゾンを含んだ空気が約１５分間（上述の２回目のオゾン供給）、その後に摂氏約４３度に加熱された空気が約５分間（上述の２回目の加熱）、その後に摂氏約２４．５度に冷却（もしくは加熱）された空気が約１５分間（上述の２回目の冷却）、供給されるものとしたが、本発明はこれによって限定されるものではない。例えば、上述の加熱された空気は摂氏４５度以下かつ摂氏３５度以上の所定の温度であれば好適であり、場合によってはそれ以外の温度であってもよい。また、上述の冷却された空気は摂氏２２度以上かつ摂氏２７度以下の所定の温度であれば好適であり、場合によってはそれ以外の温度であってもよい。
【０１２６】
また、上述の１回目のオゾンを含んだ空気の供給は２５分以上かつ３５分以下の所定の時間において行われれば好適であり、場合によってはそれ以外の時間であってもよい。また、上述の２回目のオゾンを含んだ空気の供給は１０分以上かつ２０分以下の所定の時間において行われれば好適であり、場合によってはそれ以外の時間であってもよい。
【０１２７】
また、上述の加熱された空気の１回目の供給は３０分以上かつ４０分以下の所定の時間において行われれば好適であり、場合によってはそれ以外の時間であってもよい。また、上述の加熱された空気の２回目の供給は３分以上かつ１０分以下の所定の時間において行われれば好適であり、場合によってはそれ以外の時間であってもよい。
【０１２８】
また、上述の冷却された空気の１回目供給は２分以上かつ５分以下の所定の時間において行われれば好適であり、場合によってはそれ以外の時間であってもよい。また、上述の冷却された空気の２回目供給は１０分以上かつ２０分以下の所定の時間において行われれば好適であり、場合によってはそれ以外の時間であってもよい。
【０１２９】
また、上述の排気手段による１回目の排気は約３分間、２回目の排気は約３分間、および３回目の排気は２分間であるものとしたが、本発明はこれによって限定されるものではない。したがって、排気の時間は、収納部１１の内部の臭いの程度に応じて例えば５分間あるいは１０分間、行われてもよいし、その他の時間において行われてもよい。
【０１３０】
さらに、上述した実施形態においては、オゾンを含んだ空気の供給、加熱された空気の供給、排気、および冷却された空気の供給の動作がその順で２回（晴れの日ボタンが押された場合の１サイクル、ただし最後の排気については後述する）、行われるものとしたが、それらの回数は２回に限られず、１回のみ、もしくは３回以上の動作が実行されてもよい。それらのいずれにおいても、オゾンを含んだ空気の供給の実行時間は合計で３５分以上かつ５５分以下の範囲内であることが望ましく、加熱された空気の供給の実行時間は合計で３０分以上かつ５０分以下の範囲内であることが望ましく、また冷却された空気の供給の実行時間は合計で１０分以上かつ２５分以下の範囲内であることが望ましい。ただし、それらの時間を表す数値は本発明を限定するものではなく、それら以外の時間で上述の動作が行われてもよい。
【０１３１】
なお、上述の動作（オゾン供給、加熱、排気、冷却）が何回、行われるとしても、そのサイクルの最後（すなわち、靴Ｓを取り出すために収納部１１の扉を開く前）には排気の動作が行われることが望ましい。ただし、これは本発明を限定するものではなく、場合によっては最後の排気の動作は行われなくてもよい。
【０１３２】
また、上述したサイクルにおける冷却手段による冷却においては、サーモスタット等を用いて収納部１１の内部の空気の温度が摂氏約２４．５に保たれるように制御されるものとしたが、場合によっては、サーモスタット等はその他の機器によって代替されてもよく、もしくは用いられなくてもよい。したがって、場合によっては、上述の冷却手段による冷却においては、収納部１１の内部の空気の温度は摂氏２４．５度よりも低くなるかもしくは高くなることもあり得る。
【０１３３】
また、晴れの日ボタンを押下した場合のサイクルおよび雨の日ボタンを押下した場合のサイクル以外のいかなる適切なサイクルが採用されてもよい。例えば、上述のオゾンを含んだ空気の供給と加熱された空気の供給が所定の重なった時間帯において同時に行われてもよいし、また、いかなる時間帯において上述の紫外線照射手段による紫外線の照射が行われてもよい。
【０１３４】
また、電源装置はＡＣ／ＤＣアダプタの構成を有するものとしたが、本発明はそれに限られず、例えば、靴乾燥装置１の外部から供給される直流電流をそのまま靴乾燥装置１内の電力を消費する構成部に供給するものや、電池などの他の種類の電源装置が採用されてもよい。
【産業上の利用可能性】
【０１３５】
本発明にかかる靴乾燥装置は、靴を大切に扱おうとする多くのユーザにより用いられると考えられ、いわゆる製造業や卸売り・小売り等のサービス業において利用可能である。
【符号の説明】
【０１３６】
１…靴乾燥装置、１１…収納部、１２…天蓋部、１２１…外気吸入口、１３…空気循環機構、１３１…ノズル、１３２…空気循環口、１３３…第１の空気循環流路、１３４…第２の空気循環流路、１３５…第３の空気循環流路、１４…靴台、１５…排気機構、１５１…空気吸入口、１５２…空気排気流路、１５３…脱臭・殺菌セット、１５４…排気口
【図１】
2012152330.tif 000003
【図２】
2012152330.tif 000004
【図３】
2012152330.tif 000005
【図４】
2012152330.tif 000006